(57)【要約】      （修正有）【課題】比較的簡単な構造で多大な初期投資を必要とせずに導入可能な，コンピュータシステムにより実現される穴埋め問題作成システムを提供する。【解決手段】穴埋め問題作成システム１は，学習対象の文書をＰＤＦ形式のドキュメントに変換すると共に任意の位置をマークアップしたマークアップドキュメントを生成してサーバシステム２０に送信するマークアップドキュメント生成手段を備えたユーザ端末１０と，受信したマークアップドキュメントのマークアップされた領域に，所定の枠線と背景色を有するオブジェクト又はフォームフィールドから成るマスクを形成し，このマスクによって前記領域が覆い隠された穴埋め問題のドキュメントを生成してユーザ端末１０に返信する，穴埋め問題ドキュメント生成手段を備えたサーバシステム２０によって構成される。【選択図】図１
2017054041.tif 000002
【特許請求の範囲】
【請求項１】
コンピュータシステムによって実現される穴埋め問題作成システムにおいて，
任意の位置がマークアップされたＰＤＦ（Portable Document Format）形式のドキュメントであるマークアップドキュメントを受信し，該マークアップドキュメント中の前記マークアップされた領域に，所定の線種の枠線と背景色を有するオブジェクト又はフォームフィールドから成るマスクを形成して，該マスクによって前記領域が覆い隠された穴埋め問題のドキュメントを生成する，穴埋め問題ドキュメント生成手段を設けたことを特徴とする穴埋め問題作成システム。
【請求項２】
ＰＤＦ形式のドキュメントを処理対象とし，入力手段によって指定された任意の位置をマークアップして前記マークアップドキュメントを生成するマークアップドキュメント生成手段を更に備えることを特徴とする請求項１記載の穴埋め問題作成システム。
【請求項３】
前記マークアップドキュメント生成手段が通信ネットワークに接続可能に構成されたユーザ端末において実現されると共に，
前記穴埋め問題ドキュメント生成手段が，前記通信ネットワークに接続可能に構成されたサーバシステムにおいて実現され，
前記サーバシステムの前記穴埋め問題ドキュメント生成手段が，前記通信ネットワークを介して前記ユーザ端末の前記マークアップドキュメント生成手段から前記マークアップドキュメントを受信することを特徴とする請求項２記載の穴埋め問題作成システム。
【請求項４】
前記サーバシステムに，前記穴埋め問題ドキュメント生成手段が生成した前記穴埋め問題ドキュメントを保存する記憶手段と，ユーザ端末に対し前記記憶手段に保存した前記穴埋め問題ドキュメントを送信する，問題配信手段を設けたことを特徴とする請求項３記載の穴埋め問題作成システム。
【請求項５】
前記マークアップドキュメント生成手段，及び前記穴埋め問題ドキュメント生成手段を，いずれも同一のコンピュータシステム上で実現したことを特徴とする，請求項２記載の穴埋め問題作成システム。
【請求項６】
前記マークアップドキュメント生成手段が，前記マークアップの実行前に，各種形式のファイルをＰＤＦ形式のドキュメントに変換する処理を実行するＰＤＦ変換手段を備えることを特徴とする請求項２記載の穴埋め問題作成システム。
【請求項７】
前記穴埋め問題ドキュメント生成手段が，
前記マスクをフォームフィールドによって形成すると共に，
各マスクに対する所定動作をトリガとして該動作が行われたマスクの表示及び／又は非表示を切り換えるプログラムを生成して，前記マスクとなる前記フォームフィールドのそれぞれに埋め込むことを特徴とする請求項１〜６いずれか１項記載の穴埋め問題作成システム。
【請求項８】
前記穴埋め問題ドキュメント生成手段が，
前記穴埋め問題ドキュメントの所定の位置に一斉表示ボタン及び／又は一斉非表示ボタンとなるフォームフィールドを形成すると共に，
前記一斉表示ボタン及び／又は一斉非表示ボタンに対する所定動作をトリガとして，前記マスクにより覆われた領域の全てを一斉表示及び／又は一斉非表示とするプログラムを生成すると共に，前記一斉表示ボタン及び／又は一斉非表示ボタンと成るフォームフィールドに生成した前記プログラムを埋め込むことを特徴とする請求項７記載の穴埋め問題作成システム。
【請求項９】
コンピュータシステムによって実行される穴埋め問題作成方法において，
任意の位置がマークアップされたＰＤＦ（Portable Document Format）形式のドキュメントであるマークアップドキュメントを受信し，該マークアップドキュメント中の前記マークアップされた領域に，所定の線種の枠線と背景色を有するオブジェクト又はフォームフィールドから成るマスクを形成して，該マスクによって前記領域が覆い隠された穴埋め問題のドキュメントを生成する，穴埋め問題ドキュメント生成処理を実行することを特徴とする穴埋め問題作成方法。
【請求項１０】
前記穴埋め問題ドキュメント生成処理前に，ＰＤＦ形式のドキュメントに対し，入力手段によって指定された任意の位置をマークアップして前記マークアップドキュメントを生成するマークアップドキュメント生成処理を更に実行することを特徴とする請求項９記載の穴埋め問題作成方法。
【請求項１１】
前記マークアップドキュメント生成処理を，通信ネットワークに接続可能に構成されたユーザ端末において実行すると共に，
前記穴埋め問題ドキュメント生成処理を，前記通信ネットワークに接続可能に構成されたサーバシステムにおいて実行し，
前記サーバシステムが，前記通信ネットワークを介して前記ユーザ端末より受信した前記マークアップドキュメントに対し，前記穴埋め問題ドキュメント生成処理を実行することを特徴とする請求項１０記載の穴埋め問題作成方法。
【請求項１２】
前記サーバシステムに，前記穴埋め問題ドキュメント生成手段が生成した前記穴埋め問題ドキュメントを記憶手段に保存させる処理と，ユーザ端末に対し前記記憶手段に保存した前記穴埋め問題ドキュメントを送信する，問題配信処理を実行させることを特徴とする請求項１１記載の穴埋め問題作成方法。
【請求項１３】
前記マークアップドキュメント生成処理及び前記穴埋め問題ドキュメント生成処理を，いずれも同一のコンピュータシステム上で実行することを特徴とする，請求項１０記載の穴埋め問題作成方法。
【請求項１４】
前記マークアップドキュメント生成処理が，前記マークアップを行う前に，各種形式のファイルをＰＤＦドキュメントに変換する，ＰＤＦ変換処理を更に含むことを特徴とする請求項１１〜１３いずれか１項記載の穴埋め問題作成方法。
【請求項１５】
前記穴埋め問題ドキュメント生成処理が，
前記マスクをフォームフィールドによって形成すると共に，
各マスクに対する所定動作をトリガとして該動作が行われたマスクの表示及び／又は非表示を切り換えるプログラムを生成して，前記マスクとなる前記フォームフィールドのそれぞれに埋め込む処理を実行することを特徴とする請求項１０〜１４いずれか１項記載の穴埋め問題作成方法。
【請求項１６】
前記穴埋め問題ドキュメント生成処理が，
前記穴埋め問題ドキュメントの所定の位置に一斉表示ボタン及び／又は一斉非表示ボタンとなるフォームフィールドを形成すると共に，
前記一斉表示ボタン及び／又は一斉非表示ボタンに対する所定動作をトリガとして前記マスクにより覆われた領域の全てを一斉表示及び／又は一斉非表示とするプログラムを生成すると共に，前記一斉表示ボタン及び／又は一斉非表示ボタンと成るフォームフィールドに生成した前記プログラムを埋め込む処理を行うことを特徴とする請求項１５記載の穴埋め問題作成方法。
【請求項１７】
任意の位置がマークアップされたＰＤＦ（Portable Document Format）形式のドキュメントであるマークアップドキュメントを解析し，前記マークアップがされた領域を認識し，前記マークアップがされた領域に，所定の線種及び背景色を有するオブジェクト又はフォームフィールドから成るマスクを形成して，該マスクによって前記領域が覆い隠された穴埋め問題のドキュメントを生成する，穴埋め問題ドキュメント生成処理をコンピュータシステムに実行させるためのプログラム。
【請求項１８】
前記穴埋め問題ドキュメント生成処理において，前記マスクをフォームフィールドによって形成させると共に，各マスクに対する所定動作をトリガとして該動作が行われたマスクの表示及び／又は非表示を切り換えるプログラムを生成して，前記マスクとなる前記フォームフィールドのそれぞれに埋め込ませる処理を前記コンピュータシステムに行わせることを特徴とする請求項１７記載のプログラム。
【請求項１９】
前記穴埋め問題ドキュメント生成処理において，前記穴埋め問題ドキュメントの所定の位置に一斉表示ボタン及び／又は一斉非表示ボタンと成るフォームフィールドを形成させると共に，
前記一斉表示ボタン及び／又は一斉非表示ボタンに対する所定動作をトリガとして前記マスクにより覆われた領域の全てを一斉表示及び／又は一斉非表示とするプログラムを生成すると共に，前記一斉表示ボタン及び／又は一斉非表示ボタンと成るフォームフィールドに生成した前記プログラムを埋め込む処理を，前記コンピュータシステムに行わせることを特徴とする請求項１８記載のプログラム。
【発明の詳細な説明】
【技術分野】
【０００１】
本発明は穴埋め問題作成システム，穴埋め問題作成方法及びプログラムに関し，より詳細には，既存の文書から該文書の一部を隠した穴埋め問題を作成して提供する穴埋め問題作成システム，穴埋め問題作成方法及び前記穴埋め問題作成方法をコンピュータシステムに実行させるためのプログラムに関する。
【背景技術】
【０００２】
コンピュータシステムによって実現される穴埋め問題作成システムの一例として，後掲の特許文献１には，ユーザーが入力した学習対象文を解析し，学習対象文の中から人名，地名，数字の品詞情報を持つ語を抽出し，抽出された語からランダムに選択された語をブランクに置換して穴埋め問題を作成してユーザに提供する穴埋め問題作成システムが提案されている。
【０００３】
また，特許文献２には，入力された学習対象文を解析して自立語を抽出すると共に，各自立語の出現頻度に基づいて重要語を選択し，この重要語の中から少なくとも１つの自立語を選択して，選択された自立語をブランクに置換して作成した穴埋め問題をユーザに提供する穴埋め問題作成システムが提案されている。
【先行技術文献】
【特許文献】
【０００４】
【特許文献１】特開平  ０６−  ９５５８３号公報
【特許文献２】特開２００８−２３３５５３号公報
【発明の概要】
【発明が解決しようとする課題】
【０００５】
特許文献１及び特許文献２として紹介した穴埋め問題作成システムでは，ユーザは，学習対象文を入力するという比較的簡単な作業を行うだけで複雑な処理を行うことなく，比較的簡単に穴埋め問題を得ることがでできる。
【０００６】
しかし，上記従来の穴埋め問題作成システムでは，入力された学習対象文を解析し，この解析結果に基づいて自動でブランクを形成するものであることから，穴埋め問題作成システムに穴埋め問題を作成させるためには複雑なプログラムを組む必要があると共に，精度の高い処理を行うためには，多量の品詞情報や自立語の登録が必要で，これらの穴埋め問題作成システムの導入には，多大な初期投資が必要となり，比較的少人数の受講者を対象とした学習支援システム等として採用することが困難である。
【０００７】
しかも，穴埋め問題作成システムが学習対象文を解析できるようにするためには，学習対象文をテキスト形式で入力することが必要で，一旦，紙媒体に印刷された学習対象文を，イメージスキャナによって読み取って得たイメージデータに基づいて穴埋め問題を作成することはできない。
【０００８】
仮に，印刷物から得たイメージデータを，ＯＣＲ（Optical Character Recognition）を使用してテキスト化したとしても，ＯＣＲによるテキスト化では所謂「文字化け」等の発生により学習対象文の正確なテキスト化は困難であり，その結果，学習対象文が正しく解析されずに不適当な位置にブランクが形成されたり，学習対象文より正答を取得する場合，正答として取得した語が文字化けしていれば正答を正しく表示できなくなるといった問題も生じる。
【０００９】
そのため，印刷物として出回っている書籍，教科書，参考書，プリント，あるいはこれらをイメージスキャナによってイメージデータとして読み取ることにより保管あるいは管理されているデータ等に基づいて穴埋め問題を作成することができず，問題文作成の元とし得る莫大な資料が紙媒体，あるいはイメージデータとして存在するに拘わらず，これらの資料を有効に活用することができない。
【００１０】
しかも，学習対象文が文書作成ソフトウェアによって作成されていたとしても，穴埋め問題作成システムに対し，異なる種類の文書作成ソフトウェアで作成された文書のいずれも入力できるようにしようとすると，穴埋め問題作成システムは文書データ中のテキストデータのみを抽出して使用することとなるため，元の文書のレイアウト情報や修飾情報等が失われる結果，元の文書の記載内容を正しく表示できなくなる場合（例えば，文章が正しい位置で改行されない。上付文字，下付文字等の修飾情報が失われることで，数式や化学式の意味が変化してしまう等）も発生し得る。
【００１１】
このような問題を回避するために，元の文書のレイアウト情報や修飾情報等を利用できるようにしようとすれば，学習対象文とする文書を作成した文書作成ソフトウェア毎，場合によっては各ソフトウェアのバージョン毎に穴埋め問題作成用のソフトウェアを開発することが必要で，全てのソフトウェアに対応できるようにすることは実質上，不可能であり，対象とする文書作成ソフトウェアを限定したものとせざるを得ない。
【００１２】
しかも，前掲の特許文献１，２に記載の穴埋め問題作成システムでは，学習対象文を解析した結果，所定の品詞情報に対応する語，あるいは自立語を抽出し，これらの中からブランクと置換する語を決定するため，学習者が，これらの語以外の語（例えば動詞）をブランクにしたいと考えた場合であってもこれを実現することはできず，また，ブランクとする語は，抽出された語の中からランダムに（特許文献１），あるいは出現頻度に基づいて（特許文献２）決定するものとしているため，ブランクの形成位置が学習のポイントから外れてしまっていたり，ブランク形成後の学習対象文（問題文）が，解答を導き出すために必要な情報を含まなくなっていて，問題文として成立しなくなっている可能性もある。
【００１３】
なお，前掲の特許文献１，２として説明した穴埋め問題作成システムでは，前述したようにテキスト形式で入力された学習対象文中，解析によって決定した語をブランク（例えば「〔1.    〕」，「〔2.     〕」等の文字列）に置換して問題文を作成する一方，問題文とは別に，正答欄を設け，ここに，ブランクと置換した語を正答として表示する。
【００１４】
そのため，問題文と正答を同時に見ることができないようにするためには，正答欄を問題文とは別ページに表示する等，問題文と正答を別途表示することが必要となる。
【００１５】
しかも，正答欄を別ページに設けたとしても，例えば第１の空欄に対する解答時に，正答欄のページを開いてしまうと，第２の空欄以降の他の空欄に対する答えも見てしまうこととなるため，ユーザは問題文中に存在する空欄の全てに対する解答を行った後でなければ正答欄のページを開くことができない。
【００１６】
そのため，問題文が長くなり，ブランクの数が多くなると，ユーザは別途準備した紙に答えを記載し，あるいは，画面上に設けた解答欄に答えを入力する等して，全てのブランクに対する解答が終了した後，正答欄を表示させて答え合わせを行うことが必要で，例えばスマートフォンやタブレットＰＣ等の携帯情報端末を使用した通勤・通学電車内等における学習を考えた場合，答えを紙に書き写す，あるいは解答欄に答えを入力するといった作業は煩雑であり，各ブランクに対する解答を頭に思い浮かべながら，都度，正答を表示させて答えを確認することができるような利用が可能であれば，より使い勝手の良い穴埋め問題を提供することができる。
【００１７】
そこで，本発明は，上記従来技術における欠点を解消するためになされたものであり，比較的簡単な構造であり，多大な初期投資を必要とせずに導入することが可能であると共に，穴埋め問題作成の元となる文書が，イメージデータであっても，いずれの文書作成ソフトウェアで作成された文書ファイルであっても，更にはＨＴＭＬ形式の文書であっても穴埋め問題を簡単に作成することができ，しかも，ユーザが意図した用語等を「穴」とすることができる穴埋め問題を作成することのできる穴埋め問題作成システム，穴埋め問題作成方法，及び前記穴埋め問題作成方法をコンピュータシステムに実行させるためのプログラムを提供することを目的とする。
【００１８】
また，本発明は，上記目的に加え，文書中の空欄部分に記入すべき解答を，各空欄毎に確認することができるようにすることで，携帯情報端末を使用した通勤・通学電車内等における学習時においても使い勝手の良い穴埋め問題を作成することのできる穴埋め問題作成システム，穴埋め問題作成方法，及びコンピュータシステムに前記穴埋め問題作成方法を実行させるためのプログラムを提供することを目的とする。
【課題を解決するための手段】
【００１９】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本願発明の技術的範囲の解釈に制限的に用いられるものではない。
【００２０】
上記目的を達成するために，本発明の穴埋め問題作成システム１は，
コンピュータシステムによって実現される穴埋め問題作成システム１において，
任意の位置がマークアップされたＰＤＦ（Portable Document Format）形式のドキュメントであるマークアップドキュメントを受信し，該マークアップドキュメント中の前記マークアップされた領域に，所定の線種の枠線と背景色を有するオブジェクト又はフォームフィールドから成るマスク６１を形成して，該マスク６１によって前記領域が覆い隠された穴埋め問題のドキュメントを生成する，穴埋め問題ドキュメント生成手段２０１を設けたことを特徴とする（請求項１）。
【００２１】
なお，本発明において「マークアップ」とは，ドキュメント上に範囲を指定するマークを挿入することをいい，文書列の一部をタグで囲むことによる範囲の指定，図形の描写による領域の指定等がこれに該当する。
【００２２】
上記構成の穴埋め問題作成システム１は，ＰＤＦ形式のドキュメントを処理対象とし，キーボード１２やマウス１３，タッチパネル等の入力手段によって指定された任意の位置をマークアップして前記マークアップドキュメントを生成するマークアップドキュメント生成手段１０１を更に備えることができる（請求項２）。
【００２３】
上記構成の穴埋め問題作成システム１において，前記マークアップドキュメント生成手段１０１がインターネット等の通信ネットワーク５０に接続可能に構成されたユーザ端末１０において実現されると共に，
前記穴埋め問題ドキュメント生成手段２０１が，前記通信ネットワーク５０に接続可能に構成されたサーバシステム２０において実現され，
前記サーバシステム２０の前記穴埋め問題ドキュメント生成手段２０１が，前記通信ネットワーク５０を介して前記ユーザ端末１０の前記マークアップドキュメント生成手段１０１から前記マークアップドキュメントを受信することができるよう構成するものとしても良い（請求項３）。
【００２４】
前記サーバシステム２０には，前記穴埋め問題ドキュメント生成手段２０１が生成した前記穴埋め問題ドキュメントを保存する記憶手段２０２と，ユーザ端末１０に対し前記記憶手段２０２に保存した前記穴埋め問題ドキュメントを送信する，問題配信手段２０４を設けることができる（請求項４）。
【００２５】
なお，前記マークアップドキュメント生成手段１０１，及び前記穴埋め問題ドキュメント生成手段２０１は，いずれも同一のコンピュータシステム（例えば，ユーザ端末１０，又はサーバシステム２０）上に実現するものとしても良い（請求項５）。
【００２６】
前記マークアップドキュメント生成手段１０１は，前記マークアップの実行前に，各種形式のファイルをＰＤＦ形式のドキュメントに変換する処理を実行するＰＤＦ変換手段１０１ａを備えることが好ましい（請求項６）。
【００２７】
前述の穴埋め問題ドキュメント生成手段２０１は，
前記マスク６１をフォームフィールドによって形成すると共に，
各マスク６１上にポインタ６３を置いた状態でマウス１３をクリックする等の各マスク６１に対する所定動作をトリガとして該動作が行われたマスク６１の表示及び／又は非表示を切り換えるプログラムを生成して，前記マスク６１となる前記フォームフィールドのそれぞれに埋め込むように構成することが好ましい（請求項７）。
【００２８】
更に，前記穴埋め問題ドキュメント生成手段２０１は，
前記穴埋め問題ドキュメントの所定の位置に一斉表示ボタン６４及び／又は一斉非表示ボタン６５となるフォームフィールドを形成すると共に，
前記一斉表示ボタン６４及び／又は一斉非表示ボタン６５上にポインタ６３を置いた状態でマウス１３をクリックする等の所定動作をトリガとして，前記マスク６１により覆われた領域の全てを一斉表示及び／又は一斉非表示とするプログラムを生成すると共に，前記一斉表示ボタン６４及び／又は一斉非表示ボタン６５と成るフォームフィールドに，生成した前記プログラムを埋め込むように構成することが好ましい（請求項８）。
【００２９】
また，本発明の穴埋め問題作成方法は，コンピュータシステムによって実行される穴埋め問題作成方法であって，
任意の位置がマークアップされたＰＤＦ（Portable Document Format）形式のドキュメントであるマークアップドキュメントを受信し，該マークアップドキュメント中の前記マークアップされた領域に，所定の線種の枠線と背景色を有するオブジェクト又はフォームフィールドから成るマスク６１を形成して，該マスク６１によって前記領域が覆い隠された穴埋め問題のドキュメントを生成する，穴埋め問題ドキュメント生成処理を実行することを特徴とする（請求項９）。
【００３０】
上記穴埋め問題作成方法において，前記穴埋め問題ドキュメント生成処理前に，ＰＤＦ形式のドキュメントに対し，キーボード１２やマウス１３等の入力手段によって指定した任意の位置をマークアップして前記マークアップドキュメントを生成するマークアップドキュメント生成処理を更に実行するものとすることができる（請求項１０）。
【００３１】
この場合，前記マークアップドキュメント生成処理を，インターネット等の通信ネットワーク５０に接続可能に構成されたユーザ端末１０において実行すると共に，
前記穴埋め問題ドキュメント生成処理を，前記通信ネットワーク５０に接続可能に構成されたサーバシステム２０において実行するものとしても良く，
前記サーバシステム２０が，前記通信ネットワーク５０を介して前記ユーザ端末１０より受信した前記マークアップドキュメントに対し，前記穴埋め問題ドキュメント生成処理を実行するよう構成する（請求項１１）。
【００３２】
この場合， 前記サーバシステム２０に，前記穴埋め問題ドキュメント生成手段２０１が生成した前記穴埋め問題ドキュメントを記憶手段２０２に保存させる処理と，ユーザ端末１０に対し前記記憶手段２０２に保存した前記穴埋め問題ドキュメントを送信する，問題配信処理を実行させるものとしても良い（請求項１２）。
【００３３】
なお，上記構成に代え，前記マークアップドキュメント生成処理及び前記穴埋め問題ドキュメント生成処理は，いずれも同一のコンピュータシステム（ユーザ端末１０，又はサーバシステム２０）上で実行するよう構成しても良い（請求項１３）。
【００３４】
更に，前記マークアップドキュメント生成処理は，前記マークアップを行う前に，各種形式のファイルをＰＤＦドキュメントに変換する，ＰＤＦ変換処理を更に実行するものであっても良い（請求項１４）。
【００３５】
また，前記穴埋め問題ドキュメント生成処理は，
前記マスク６１をフォームフィールドによって形成すると共に，
各マスク６１上にポインタ６３を置いた状態でマウス１３をクリックする等の所定動作をトリガとして該動作が行われたマスク６１の表示及び／又は非表示を切り換えるプログラムを生成して，前記マスク６１となる前記フォームフィールドのそれぞれに埋め込む処理を実行するものとしても良い（請求項１６）。
【００３６】
更に前記穴埋め問題ドキュメント生成処理は，
前記穴埋め問題ドキュメントの所定の位置に一斉表示ボタン６４及び／又は一斉非表示ボタン６５となるフォームフィールドを形成すると共に，
前記一斉表示ボタン６４及び／又は一斉非表示ボタン６５上にポインタ６３を置いた状態でマウスをクリックする等の所定動作をトリガとして前記マスク６１により覆われた領域の全てを一斉表示及び／又は一斉非表示とするプログラムを生成すると共に，前記一斉表示ボタン６４及び／又は一斉非表示ボタン６５と成るフォームフィールドに生成した前記プログラムを埋め込む処理を行うように構成するものとしても良い（請求項１６）。
【００３７】
また，前述した穴埋め問題作成方法をコンピュータシステムに実行させるためのプログラムは，
任意の位置がマークアップされたＰＤＦ（Portable Document Format）形式のドキュメントであるマークアップドキュメントを解析し，前記マークアップがされた領域を認識し，前記マークアップがされた領域に，所定の線種及び背景色を有するオブジェクト又はフォームフィールドから成るマスク６１を形成して，該マスク６１によって前記領域が覆い隠された穴埋め問題のドキュメントを生成する，穴埋め問題ドキュメント生成処理をコンピュータシステム（後掲の実施形態においてサーバシステム２０）に実行させるためのプログラムである（請求項１７）。
【００３８】
上記プログラムは更に，前記穴埋め問題ドキュメント生成処理において，前記マスク６１をフォームフィールドによって形成させると共に，各マスク６１上にポインタ６３を置いた状態でマウス１３をクリックする等の所定動作をトリガとして該動作が行われたマスク６１の表示及び／又は非表示を切り換えるプログラムを生成して，前記マスク６１となる前記フォームフィールドのそれぞれに埋め込ませる処理を前記コンピュータシステム（後掲の実施形態においてサーバシステム２０）に行わせるものとすることができる（請求項１８）。
【００３９】
更に，前記穴埋め問題ドキュメント生成処理において，前記穴埋め問題ドキュメントの所定の位置に一斉表示ボタン６４及び／又は一斉非表示ボタン６５と成るフォームフィールドを形成させると共に，
前記一斉表示ボタン６４及び／又は一斉非表示ボタン６５上にポインタ６３を置いた状態でマウス１３をクリックする等の所定動作をトリガとして前記マスク６１により覆われた領域の全てを一斉表示及び／又は一斉非表示とするプログラムを生成すると共に，前記一斉表示ボタン６４及び／又は一斉非表示ボタン６５と成るフォームフィールドに生成した前記プログラムを埋め込む処理を，前記コンピュータシステムに行わせるようにすることもできる（請求項１９）。
【発明の効果】
【００４０】
以上で説明した本発明の構成により，本発明では以下の顕著な効果を得ることができた。
【００４１】
本発明で処理対象とするＰＤＦドキュメントは，各種文書作成ソフトウェアによって作成された文書ファイル，印刷された文書をイメージスキャナ等で読み取ることにより得たイメージデータ，インターネット上で取得したＨＴＭＬ形式のファイル等，各種形式のファイルより変換して簡単に得ることが可能であるだけでなく，元の文書のレイアウトや文字装飾等を殆ど変化させることなく引き継いだＰＤＦドキュメントを得ることができること，更に本発明では，ユーザがマークアップによって指定した箇所に，この部分を覆うマスク６１を形成する構成を採用したことで，テキスト形式の文書に限定されず，且つ，元の文書がいずれの文書作成ソフトウェアによって作成された文書であり，あるいは，印刷物をイメージスキャナ等で読み取ることにより得たイメージデータであっても，これらに基づいて穴埋め問題を作成することが可能であり，しかも，作成した穴埋め問題を，異なるＯＳやアプリケーションソフトウェアで動作するユーザ端末１０上に表示させた場合，いずれのユーザ端末上においても元のレイアウト等を維持した状態で穴埋め問題を表示させることができ，マスク６１がずれた位置に表示される等して，答えが見えてしまう等といった不都合も生じない。
【００４２】
通信ネットワーク５０に接続されたユーザ端末１０において前述のマークアップドキュメントを生成するためのマークアップドキュメント生成手段１０１を実現すると共に，前記通信ネットワーク５０に接続されたサーバシステム２０において前記穴埋め問題ドキュメント生成手段２０１を実現する構成を採用したことで，ユーザは，マークアップを行って生成したマークアップドキュメントをサーバシステム２０に送信するだけで，簡単に穴埋め問題を入手することが可能であると共に，ユーザ端末１０として，処理能力の高いコンピュータを採用する必要がない。
【００４３】
特に，サーバシステム２０が，生成した穴埋め問題ドキュメントを保存する記憶手段２０２を備えた構成では，問題配信手段２０４が，記憶手段２０２に保存された穴埋め問題ドキュメントをユーザ端末１０に送信することが可能であり，サーバシステム２０に穴埋め問題の作成を指令したユーザ端末１０と，生成された穴埋め問題ドキュメントを表示させて学習の用に供するユーザ端末１０とを，別の端末とすることができる。
【００４４】
その結果，例えば，マークアップドキュメントを作成してサーバシステム２０に対して送信する処理は自宅のパーソナルコンピュータによって行い，サーバシステム２０の記憶手段に保存された穴埋め問題を呼び出して行う学習についてはスマートフォンやタブレットＰＣ等の携帯情報端末を使用して行う等，端末の使い分けが可能で，通勤・通学時における電車等による移動時間等を利用して学習を行う際に便利である。
【００４５】
更に，穴埋め問題作成システム１の主要な機能をサーバシステム２０に担わせることで，このサーバシステム２０の記憶手段２０２にデータベースを構築することも可能となり，各ユーザ毎の学習履歴や学習の進展状況，成績等の一括管理や，ユーザ全体の成績等の統計データ等を所定の記憶領域（例えば図６の「集計・統計結果２０２ｄ」）に記録して管理等を行うことも可能となる。
【００４６】
また，サーバシステム２０の記憶手段２０２に，穴埋め問題を作成する際の素材となり得るＰＤＦドキュメントを例えばジャンル毎に保管したデータベース（例えば，図６の「問題ソースＤＢ２０２ｃ」）を構築し，ユーザの利用に供することも可能である。
【００４７】
なお，ユーザによって操作されるパーソナルコンピュータ等のユーザ端末１０に，前述したマークアップ手段１０１ｂと，穴埋め問題ドキュメント生成手段２０１の双方を実現するためのソフトウェアをインストールすることで，ユーザ端末１０内において前述のマークアップドキュメントの生成から穴埋め問題ドキュメント生成までの一連の処理を行わせるようにしても良く，これにより，ユーザは，サーバシステム２０との間でデータの送受信を行うことなく，穴埋め問題を入手することが可能となる。
【００４８】
マークアップドキュメントを作成する際の素材とするＰＤＦドキュメントは，前述したようにサーバシステム２０等で提供するものを利用するものとしても良いが，マークアップドキュメント生成手段１０１にＰＤＦ変換手段１０１ａを設ける場合，ユーザ等が適宜入手した印刷物をイメージスキャナで読み取ることにより得たイメージデータ，各種文書作成ソフトウェアで作成した文書，インターネット上で入手したＨＴＭＬ形式の文書等，各種形式の文書を前述のＰＤＦ変換手段１０１ａによってＰＤＦ形式のドキュメントに変換することで，多種多様な文書から穴埋め問題を作成することが可能である。
【００４９】
なお，各マスク６１を，マウス１３によるクリック等によって表示及び／又は非表示の状態に切り換え可能とした構成では，一問一答式で順次正答を表示させる等の利用方法で穴埋め問題を使用することも可能で，答えを紙に書き出し，あるいは解答欄に入力する等の作業が行い難い，例えば通勤・通学中の電車内での学習等に利用するに便利な穴埋め問題の作成を行うことができた。
【００５０】
また，一斉表示ボタン６４及び／又は一斉非表示ボタン６５を設け，一斉表示ボタン６４及び／又は一斉非表示ボタン６５に対する所定の動作をトリガとして，前記マスク６１の全てを一斉表示及び／又は一斉非表示可能に構成したことで，別ページ等に別途，正答欄を設ける必要がなく，また，隠されていた元々の文書の一部を表示させることで正答の表示としていることから，正答が文字化けや修飾情報を失うことにより誤って表示等されることを確実に防止することができた。
【図面の簡単な説明】
【００５１】
【図１】本発明の穴埋め問題作成システムの構成例を示す概略説明図。
【図２】ユーザ端末の機能ブロック図。
【図３】ＰＤＦ変換手段によるＰＤＦ変換時の画面表示例を示した説明図。
【図４】注釈機能の「長方形ツール」を使用してマークアップを行ったマークアップドキュメントを画面に表示した状態の説明図。
【図５】注釈機能の「ハイライトツール」を使用してマークアップを行ったマークアップドキュメントを画面に表示した状態の説明図。
【図６】サーバシステムの機能ブロック図。
【図７】認証手段の起動時における画面表示例（ログイン画面）を示す説明図。
【図８】選択手段の起動時における画面表示例（選択画面）を示す説明図。
【図９】直接解答問題作成手段の起動時における画面表示例（直接解答問題作成指令画面）を示す説明図。
【図１０】自己学習テキスト作成手段の起動時における画面表示例（自己学習テキスト作成指令画面）を示す説明図。
【図１１】穴埋め問題ドキュメントの生成例を示した説明図であり，（Ａ）はマークアップドキュメント，（Ｂ）は直接解答問題として生成された穴埋め問題ドキュメント。
【図１２】穴埋め問題ドキュメントの生成例を示した説明図であり，（Ａ）はマークアップドキュメント，（Ｂ）は自己学習テキストとして生成された穴埋め問題ドキュメント。
【図１３】自己学習テキストの動作説明図であり，（Ａ）は一斉非表示の状態，（Ｂ）は「一斉表示」のボタンのクリックにより一斉表示された状態，（Ｃ）は「一斉非表示」のボタンのクリックにより一斉非表示とされた状態。
【図１４】自己学習テキストの動作説明図であり，（Ａ）は一斉非表示の状態，（Ｂ）は最上段のマスクをクリックして最上段の正答を表示させた状態，（Ｃ）は最上段の正答をクリックして再度非表示とした状態。
【発明を実施するための形態】
【００５２】
以下に，添付図面を参照しながら本発明の穴埋め問題作成システム及び，該穴埋め問題作成システムによって実行される穴埋め問題作成方法について説明する。
【００５３】
〔システム全体の構成例〕
図１は，本発明の穴埋め問題作成システム１の一構成例を示した説明図であり，この穴埋め問題作成システム１は，本システム１に対し穴埋め問題の作成を指令するユーザが操作する，ユーザ端末１０と，ユーザ端末１０より受信したＰＤＦ形式のドキュメントに対し所定の処理を行って穴埋め問題を作成するサーバシステム２０，及び，前記ユーザ端末１０とサーバシステム２０間を通信可能に接続する，インターネット等の通信ネットワーク５０によって構成されている。
【００５４】
〔ユーザ端末〕
前述のユーザ端末１０は，所定のプログラムの実行によって実現されるマークアップドキュメント生成手段１０１によって，後述するサーバシステム２０に送信する，所定の利用域がマークアップされたＰＤＦ形式のデジタルドキュメンである「マークアップドキュメント」を生成する。
【００５５】
この，ユーザ端末１０としては，既存のパーソナルコンピュータを使用することができ，デスクトップ型，ラップトップ型，タブレット型のいずれのパーソナルコンピュータであっても使用可能である。
【００５６】
また，スマートフォン等の携帯情報端末においても，アプリケーションソフトウェアのインストールによりＰＤＦドキュメントの表示や編集等を行うことができるものは，本発明におけるユーザ端末１０として使用し得る。
【００５７】
更に，一人のユーザが，自身で使用するパーソナルコンピュータ，外出先で使用するスマートフォンやタブレットＰＣ等，複数の情報端末を所有する場合，これらはいずれも，ユーザ端末１０である。
【００５８】
なお，ユーザ端末１０がデスクトップ型のパーソナルコンピュータ１０である場合，ユーザ端末１０はディスプレイ１１等の表示手段やキーボード１２，マウス１３等の入力手段を備えていることが必要で，更に，ユーザ端末１０は必要に応じてイメージスキャナ１４やプリンタ１５等の周辺機器と接続されていても良い。
【００５９】
これらのユーザ端末１０は，図２の機能ブロック図に示すように，所定のプログラムの実行により，前述のマークアップドキュメント生成手段１０１が実現される。
【００６０】
なお，前述したように穴埋め問題の作成を，本発明の穴埋め問題作成システムの提供者（サービスの提供者）が管理するサーバシステム２０に行わせるものとして構成した本実施形態の穴埋め問題作成システム１にあっては，前述したマークアップドキュメント生成手段１０１の他，ユーザ端末１０は，インターネット等の通信ネットワーク５０を介してサーバシステム２０と通信を行うための通信手段１０３を備えている必要があると共に，前述したプログラムや生成したマークアップドキュメントを保存するための，記憶手段１０４を備えている。
【００６１】
マークアップドキュメント生成手段
前述のマークアップドキュメント生成手段１０１は，ユーザ端末１０の記憶手段１０４に記憶させた所定のプログラムを実行することにより実現する手段である。
【００６２】
このマークアップドキュメント生成手段１０１は，少なくとも，ＰＤＦドキュメントに対してマークアップを行うための機能（マークアップ手段１０１ｂ）を備えている必要があり，本実施形態にあっては，その他に，更に，マークアップを行う前の前処理として，ＰＤＦ以外のファイル，例えば文書作成用ソフトウェア（例えばMicrosoft社の「Word」，「Power Point」等）で作成された文書ファイル，印刷物をイメージスキャナで読み取ることにより得たイメージデータ，インターネット上で入手したＨＴＭＬファイル等をＰＤＦ形式のドキュメントに変換する，ＰＤＦ変換機能（ＰＤＦ変換手段１０１ａ）を前述のマークアップドキュメント生成手段１０１に含めている。
【００６３】
ＰＤＦ変換手段
ＰＤＦ形式のドキュメントを処理対象とする本発明の穴埋め問題作成システム１にあっては，穴埋め問題を作成する際の素材とする文書が，イメージスキャナ１４による読み取りによって得たイメージデータ，各種文書作成ソフトウェアによって作成され，記憶手段１０４等に保存されている文書ファイル，通信手段１０３を介してインターネット上で入手したＨＴＭＬファイル等の，ＰＤＦ形式以外のファイルである場合，これらのファイルをＰＤＦ形式のドキュメントに変換することが必要で，前述したＰＤＦ変換手段１０１ａは，これらのＰＤＦ形式以外の形式のファイルを，ＰＤＦ形式のドキュメントに変換する。
【００６４】
このＰＤＦ変換手段１０１ａは，ユーザ端末１０にインストールされている既知のＰＤＦ編集用ソフトウェア（例えばAdobe社の「Acrobat」）や，アプリケーションソフトウェアを起動することで実現する手段であり，一例として前述したＰＤＦ編集用ソフトウェアを起動すると，ユーザ端末１０の表示画面上には，図３に示すようなツールバーが表示され，このツールバー中に設けられている「作成」の表示７１をクリックしてプルダウンメニュー７２を表示させることができるようになっている。
【００６５】
そして，このプルダウンメニュー中に表示されている「ファイルからＰＤＦ（Ｆ）」，「スキャナからＰＤＦ（Ｓ）」，「ＷｅｂページからＰＤＦ（Ｗ）」，「クリップボードからＰＤＦ（Ｃ）」等の表示を選択，クリックすることにより表示されるプルダウンメニューやウィンドウの表示に従って，変換対象を指定すると共に，変換の実行を指令することにより，ＰＤＦ変換手段１０１ａが起動して，指定した文書をＰＤＦ形式に変換することができるようになっている。
【００６６】
なお，後述するマークアップの対象とするＰＤＦファイルは，前述したＰＤＦ変換手段によってＰＤＦ変換された文書だけでなく，当初よりＰＤＦとして存在する文書，例えばユーザ端末１０の記憶手段１０４に保存されているＰＤＦドキュメントや，後述するサーバシステム２０の記憶手段２０２（問題ソースＤＢ２０２ｃ：図６参照）に，ユーザに対して穴埋め問題作成用のソースに供するために蓄積したＰＤＦドキュメントの中から選択し，これに対しマークアップを行うようにしても良く，この場合，ＰＤＦ変換手段１０１ａ及び，ＰＤＦ変換手段１０１ａによって実行されるＰＤＦ変換工程は必要ではない。
【００６７】
マークアップ手段
ユーザ端末１０において実現される前述のマークアップ手段１０１ｂは，ユーザがマウス１３やキーボード１２，タッチパネル等の入力手段を操作して指定すことで，ＰＤＦ形式のドキュメント上でユーザが指定した所定の領域を「マークアップ」する。
【００６８】
課題を解決するための手段欄に記載したように，本発明において「マークアップ」とは，ドキュメント上に範囲を指定するマークを挿入することであり，このようなマークを挿入し得るものであれば，マークアップ手段１０１ｂによるマークアップの方法は，テキスト中の一部の文字列をタグで囲むことによる領域指定，図形の描写による領域指定等，その方法は特に限定されない。
【００６９】
前述したＰＤＦ編集用ソフトウェア（Adobe社の「Acrobat」）がインストールされている本実施形態のユーザ端末１０では，前述のマークアップ手段１０１ｂとして，同ソフトウェアに設けられている「注釈」ツールを利用することができ，一例としてＰＤＦドキュメント中，後述するマスク６１を形成する領域に，図４に示すように注釈ツールとして用意されている長方形ツールによって描写した長方形６２ａによってマークアップを行うようにしても良く，また，ドキュメントがテキストを含む場合，図５に示すように，前述の注釈ツール中，ハイライトツールを使用してマスク６１する文字列をハイライト表示６２ｂを付加することによりマークアップを行うものとしても良い。
【００７０】
以上のようにして，長方形ツールによって描写した長方形６２ａ，又はハイライトツールによって付加したハイライト表示６２ｂによってマークアップが行われたＰＤＦドキュメント（マークアップドキュメント）を作成後，これをユーザ端末１０に設けられている記憶手段１０４に保存する。
【００７１】
〔サーバシステム〕
サーバシステム２０は，前述したユーザ端末１０で生成されたマークアップドキュメントを受信すると共に，解析し，ユーザによってマークアップが行われた領域に所定のマスク６１を形成して，穴埋め問題のＰＤＦドキュメントを生成するものであり，所定のプログラムの実行により実現する，穴埋め問題ドキュメント生成手段２０１を備えている。
【００７２】
なお，本実施形態にあっては，本発明の穴埋め問題作成システム１を，予め会員登録がされた会員のみが利用できるように構成したもので，図６の機能ブロック図に示すように，前述の穴埋め問題ドキュメント生成手段２０１の他，サーバシステム２０に対するアクセスが，登録された会員によるものであるか否かを認証する，認証手段２０３を備えている。
【００７３】
また，サーバシステム２０は，各手段を実現するためのプログラム，登録された会員に関する情報，生成された穴埋め問題ドキュメント等を記憶・保存するための記憶手段２０２を備えていると共に，ユーザ端末１０に対し，記憶手段２０２に保存した穴埋め問題ドキュメントを配信する，問題配信手段２０４を備えている。
【００７４】
認証手段
認証手段２０３は，前述したように，サーバシステム２０に対するアクセスが登録された会員により行われたものであるか否かを認証するための手段であり，本発明のシステムを，登録された会員に限定することなく広く一般に提供等する場合等には必ずしも設ける必要はない。
【００７５】
前述のようにして，ユーザ端末１０においてマークアップドキュメントを生成したユーザは，ＵＲＬを指定した接続要求を行うことにより，ユーザ端末１０をインターネット等の通信ネットワーク５０を介して前述のサーバシステム２０に接続する。
【００７６】
この接続によりサーバシステム２０は，記憶手段２０２に記憶した所定のプログラムの実行により，前述した認証手段２０３を起動する。
【００７７】
認証手段２０３の起動により，サーバシステム２０は，接続が確立したユーザ端末１０の表示手段１１上に，一例として図７に示すように「ユーザ名」の入力欄７３と「パスワード」の入力欄７４が設けられたなログイン画面のＷｅｂページを表示させる。
【００７８】
ユーザが，ログイン画面の表示に従い，事前の会員登録の際に登録した「ユーザ名」及び「パスワード」をそれぞれの入力欄７３，７４に入力した後，ログインボタン７５をクリックすると，サーバシステム２０の認証手段２０３は，入力されたユーザ名とパスワードの組み合わせを，記憶手段２０２中，会員に関する情報を記憶した会員マスタ２０２ａにおいて検索し，該当する会員がある場合，会員であることを認定して，後述する穴埋め問題ドキュメント生成手段２０１を起動させる。
【００７９】
会員マスタ２０２ａ中に，入力されたユーザ名とパスワードの組み合わせに該当する会員が存在しない場合，認証手段２０３は，ユーザ端末１０の表示手段１１上に「ログイン失敗」であることの表示を行い，入力欄７３，７４を空欄にする等して，再度のユーザ名，パスワードの入力を要求して認証手続を継続して行うようにしても良い。
【００８０】
なお，このログイン画面には，例えば図７に示すように，「初めてご利用になる方」というボタン７７を設け，このボタン７７のクリックにより図示せざる「会員登録手段」を起動して，ユーザ端末１０の表示手段１１上に会員登録画面を表示することにより，ユーザを会員登録に誘導するよう構成しても良く，この会員登録画面上において，ユーザが必要な情報等を入力して会員登録を完了させることにより，後述の穴埋め問題ドキュメント生成手段２０１を起動するように構成しても良い。
【００８１】
また，ログイン画面には，「パスワードを忘れた」というボタン７６を設け，このボタン７６のクリックにより，パスワードを忘れた会員に対し所定の方法でパスワードを通知できるようにしても良い。
【００８２】
穴埋め問題ドキュメント生成手段
以上のように，認証手段２０３によって，サーバシステム２０に対してアクセスした会員が，登録された会員でいることが認証されると，サーバシステム２０は，所定のプログラムの実行によって穴埋め問題ドキュメント生成手段２０１を起動する。
【００８３】
この穴埋め問題ドキュメント生成手段２０１は，前述のユーザ端末１０より受信したマークアップドキュメントを解析し，このマークアップドキュメントのマークアップされた領域に，所定のマスク６１を形成して穴埋め問題のドキュメントを生成する処理を行うもので，本実施形態にあっては，作成する穴埋め問題として，ユーザの選択により，「直接解答問題」，「自己学習テキスト」という，２種類の異なる穴埋め問題を作成することができるように構成したこと，また，形成するマスク６１の枠線の幅と色，マスクの背景色及びサイズをユーザが指定できるように構成したことから，本実施形態にあっては，前述した穴埋め問題ドキュメント生成手段２０１の起動により，更に，図６に示すように，選択手段２０１ａと，直接解答問題作成手段２０１ｂ又は自己学習テキスト作成手段２０１ｃを実現することができるように構成している。
【００８４】
選択手段
本実施形態の穴埋め問題作成システム１では，前述した認証手段２０３による認証手続が終了し，アクセスしたユーザが登録された会員であることが認証されると，穴埋め問題ドキュメント生成手段２０１は前述の選択手段２０１ａを起動して，ユーザ端末１０の表示手段１１上に，一例として図８に示すような「選択画面」を表示させる。
【００８５】
この選択画面上において，ユーザは，変換元とするＰＤＦドキュメント（マークアップドキュメント）のファイル名を，ファイル名の入力欄７８に入力して特定すると共に，作成する穴埋め問題の形式を，チェックボックス８１，８２を使用してチェックすることにより選択して，「選択終了」のボタン８３をクリックすることにより，これらの選択を完了させる。
【００８６】
変換元ファイル名の入力に際しては，例えば参照ボタン７９を設け，この参照ボタン７９をクリックすると，画面上に参照ウィンドウ８０を開く等して，ユーザ端末１０の記憶手段１０４に記憶されているＰＤＦドキュメントの一覧等を表示できるようにすると共に，一覧として表示されたファイル名の上にポインタ６３を移動させてクリックすることにより入力が完了するよう構成する等しても良い。
【００８７】
直接解答問題作成手段
前述した選択画面において，作成する穴埋め問題の形式として，「直接解答問題」が選択されると，穴埋め問題ドキュメント生成手段２０１は直接解答問題作成手段２０１ｂを起動する。
【００８８】
この直接解答問題作成手段２０１ｂによって作成される「直接解答問題」とは，変換元としたマークアップドキュメント中のマークアップがされた部分に，ユーザによって指定された枠線幅，枠線色，及び背景色を有するマスク６１を形成して，該マスク６１の形成領域に元々存在していた文字や図形，記号等を覆い隠したＰＤＦファイルを形成するもので，マスクの背景色として淡色を選択することで，作成された穴埋め問題ドキュメントをプリンタで印刷すると，印刷された用紙のマスク部分に直接，解答を書き込むことのできる，問題用紙兼，解答用紙である「直接解答問題」が得られる。
【００８９】
前述した直接解答問題作成手段２０１ｂの起動により，ユーザ端末の表示画面上には，マスク６１となる矩形オブジェクトの「枠線幅」，「枠線色」，「背景色」，及び「サイズ調整」を選択するための入力欄８４，８６，８８，８９と，変換処理の実行を指令する，変換ボタン９０が表示された，直接解答問題作成指令画面が表示される。
【００９０】
このうちの「枠線幅」は，マスク６１となる矩形オブジェクトの枠線の太さを指定するもので，画面上に表示された枠線幅の入力欄８４に直接，数値を入力するものとしても良く，あるいは，入力欄８４上にポインタ６３を移動させることにより表示されるプルダウンメニュー８５中より選択できるようにしても良い。
【００９１】
また，「枠線色」は，前述した枠線の色を指定するもので，枠線色の入力欄８６に直接，ＲＧＢカラーコードを入力するものとしても良く，あるいは，入力欄８６上にポインタ６３を移動させることにより表示されるカラーパレット８７中より選択して入力できるようにしても良い。
【００９２】
更に，「背景色」は，前述した枠線の内側を塗り潰す色を指定するもので，背景色の入力欄８８に直接，ＲＧＢカラーコードを入力するものとしても良く，あるいは，入力欄８８上にポインタ６３を移動させることにより表示されるカラーパレット８７中より選択して入力できるようにしても良い。
【００９３】
更に，「サイズ調整」は，マスク６１のサイズを，マークアップによって指定した領域に対し拡張又は縮小する際に指定するもので，サイズ調整値の入力欄８９中に数値入力することにより指定する。
【００９４】
なお，この「サイズ調整」欄８９に対する数値の入力は，枠線幅，枠線色，及び背景色とは異なり，必ずしも必要ではなく，指定のない場合，マークアップによって指定された領域にマスク６１が形成される。
【００９５】
なお，これらの入力欄に対する入力は，規定値に対し変更を行わない場合には省略できるようにしても良い。
【００９６】
このようにして，枠線幅，枠線色，背景色，及び必要に応じてサイズ調整の指定を行った後，その下方に設けられている変換ボタン９０をクリックすると，直接解答問題作成手段による直接解答問題の作成が開始される。
【００９７】
前述した変換ボタン９０のクリックにより，サーバシステム２０は，ユーザ端末１０より，指定されたマークアップドキュメントと，入力欄に入力された枠線幅，枠線色，背景色及びサイズ調整値の各情報を受信して取得する。
【００９８】
このようにしてマークアップドキュメントを受信したサーバシステム２０は，取得したマークアップドキュメントを開いて，その内部構造を解析する。
【００９９】
この解析により，直接解答問題作成手段２０１ｂは，図１１（Ａ），（Ｂ）に示すように，前述した長方形ツール，又はハイライト注釈（図示の例では長方形ツール）によってユーザが付した長方形６２ａやハイライト表示６２ｂ（図示の例では長方形６２ａ）によってマークアップされた領域（「サイズ調整」が指定されていた場合には，マークアップされた領域に対しサイズの調整がされた後の領域）に，ユーザによって指定された枠線幅，枠線色，及び背景色の矩形オブジェクトをマスク６１として生成すると共に，マークアップに使用されていたハイライト表示６２ｂや長方形６２ａを削除する。
【０１００】
なお，前述したユーザによるマークアップが長方形ツールによって行われている場合，直接解答問題作成手段２０１ｂは，この長方形ツールによって描写された長方形６２ａの枠線幅，枠線色，背景色，及びサイズを，ユーザにより指定された枠線幅，枠線色，背景色，及びサイズに変換することによって，前述のマスク６１を生成するものとしても良い。
【０１０１】
また，直接解答問題作成手段２０１ｂは，生成したマスク６１上に，図１１に示すように連続番号を表示して，作成された直接解答問題に対し解答を行う際，解答者が個々の空欄（マスク）を識別することができるようにしても良い。
【０１０２】
このようにして，ユーザ端末１０より取得したマークアップドキュメント中，マークアップによって指定された領域に，マスク６１となる矩形オブジェクトを形成してＰＤＦ形式のドキュメントとしての直接解答問題を作成した直接解答問題作成手段２０１ｂは，作成した直接解答問題のＰＤＦドキュメントを，直接解答問題の作成を指令した問題作成ユーザ端末１０に返信するようにしても良い。
【０１０３】
直接解答問題のＰＤＦドキュメントを受信したユーザは，受信した直接解答問題のＰＤＦドキュメントを印刷することで，マスク６１で覆われた部分に直接，解答を書き込むことができる，問題用紙兼，解答用紙として使用することができる「直接解答問題」を得ることができる。
【０１０４】
また，受信した直接解答問題のＰＤＦドキュメントは，これをユーザ端末１０の記憶手段１０４に保存することで，ユーザは，受信した直接解答問題を何時でも読み出して表示手段１１上に表示させ，あるいは，印刷して使用することが可能となる。
【０１０５】
なお，直接解答問題作成手段２０１ｂは，作成した直接解答問題のＰＤＦドキュメントを，例えばジャンル毎にサーバシステム２０に設けた記憶手段２０２内の所定の記憶領域（図６の例では「穴埋め問題ＤＢ２０２ｂ」）に記憶するものとしても良い。
【０１０６】
また，直接解答問題作成手段２０１ｂは，作成した直接解答問題のＰＤＦドキュメントを，この問題の作成を指令したユーザを特定可能な情報（ユーザ名，ＩＤナンバー等）と関連付けて，前述した記憶手段２０２に記憶するものとしても良い。
【０１０７】
このように，作成された直接解答問題のＰＤＦドキュメントをジャンル毎にサーバシステム２０の記憶手段２０２に保存して，記憶した直接解答問題を，該直接解答問題の作成を指令したユーザ以外のユーザに対しても公開することにより，各ユーザは，自らマークアップドキュメントの作成や直接解答問題の作成指令を行うことなく，作成済みの問題の中から自己の学習に有用な直接解答問題を探して利用することも可能となる。
【０１０８】
また，ユーザを特定する情報と関連付けて直接解答問題を保存する場合，ユーザは，例えば自宅のパーソナルコンピュータを使用してマークアップドキュメントの生成と，サーバシステム２０に対する直接解答問題の作成指令を行い，職場のパーソナルコンピュータや，スマートフォン，タブレットＰＣ等の携帯情報端末を使用してサーバシステム２０にアクセスして，出来上がった直接解答問題を記憶手段２０２から呼び出して表示させることが可能となる等，サーバシステム２０に対してログインする際に必要な情報（本実施形態ではユーザ名，パスワード）さえ覚えていれば，直接解答問題をＵＳＢメモリ，ＳＤカード，ＣＤ−ＲＯＭ等の記録媒体に保存して持ち歩くことなく，インターネットに接続可能な環境にある各種のユーザ端末１０より読み出して利用することが可能となる。
【０１０９】
自動学習テキスト作成手段
前述した選択画面において，作成する穴埋め問題の形式として，「自己学習テキスト」を選択した場合，サーバシステム２０は，前述した直接解答問題作成手段２０１ｂに代え，自己学習テキスト作成手段２０１ｃを起動する。
【０１１０】
この自己学習テキスト作成手段２０１ｃによって作成される「自己学習テキスト」とは，変換元としたマークアップドキュメント中，長方形６２ａ又はハイライト表示６２ｂでマークアップされた部分に，ユーザによって指定された線種，色彩の枠線と背景色を有する，表示／非表示を切り換え可能なマスク６１を形成するもので，マスク６１を表示状態とすることでその下に記載されている「正答」を覆い隠すことができると共に，マスク６１を非表示とすることで，その下に隠されていた「正答」を表示できるようにしたもので，作成された自己学習テキストは，マスク６１を表示した状態で印刷することにより，前述した直接解答問題と同様の利用ができるだけでなく，ユーザ端末１０上にマスク６１が表示された状態で表示し，マスク６１で覆われた部分の正答を頭に思い浮かべた状態でマスク６１を非表示に転じることで，一問一答式の練習問題等として利用可能に構成したものである。
【０１１１】
この自己学習テキストの作成を行う，自己学習テキスト作成手段２０１ｃの起動により，ユーザ端末１０の表示手段１１上には，図１０に示すようにマスク６１と成るフォームフィールドの「枠線幅」，「枠線色」，「背景色」，及び「サイズ調整」を入力するための入力欄９１〜９４と，変換処理の実行を指令する，変換ボタン９８が表示された，自己学習テキスト作成指令画面が表示され，これらの入力欄に対し，前述した直接問題作成指令画面（図９参照）を参照して説明したと同様にして，入力を行う。
【０１１２】
なお，本実施形態にあっては，形成されたマスク６１の全てを一斉に表示及び非表示にすることができるよう，生成された自己学習テキストのＰＤＦファイル上の所定の位置に，一斉表示ボタン６４，及び一斉非表示ボタン６５を設ける構成を採用することから，これらの一斉表示ボタン６４，一斉非表示ボタン６５の表示属性（プロパティ）をユーザが指定できるようにするものとしている。
【０１１３】
図示の例では，この一斉表示ボタン６４，一斉非表示ボタン６５の表示属性として，配置箇所の入力欄９５と，位置調整の入力欄９７を設けている。
【０１１４】
このうち，配置位置は，一斉表示ボタン６４，一斉非表示ボタン６５を表示する位置を指定するもので，図示の実施形態にあっては，配置位置の入力欄９５にポインタ６３を移動させることにより表示されるプルダウンメニュー９６中より選択して入力可能とした例である。
【０１１５】
また，位置調整は，一斉表示ボタン６４，一斉非表示ボタン６５を表示位置を調整するために入力するものであり，入力欄９７に直接，数値の入力を行う。
【０１１６】
なお，自己学習テキスト作成指令画面におけるこれらの入力欄に対する入力も，規定値に対し変更がない場合には入力を省略することができる。
【０１１７】
また，一斉表示ボタン６４，一斉非表示ボタン６５の表示属性については，マスク６１部分と同様，「枠線幅」，「枠線色」，「背景色」の指定を可能としても良く，あるいは，ボタン６４，６５中に表示する文字列の指定，文字のフォント，フォントサイズ，文字色等を指定できるようにしても良い。
【０１１８】
このようにして，必要な指定を行った後，その下方に設けられている変換ボタン９８をクリックすると，自己学習テキスト作成手段２０１ｃは，ユーザにより指定されたマークアップドキュメントを所定の手順に従って自己学習テキストのＰＤＦドキュメントに変換する。
【０１１９】
前述した変換ボタン９８のクリックにより，サーバシステム２０は，まず，ユーザ端末１０より指定されたマークアップドキュメントと，枠線幅，枠線色，背景色，サイズ調整等としてユーザが入力した情報とを受信する。
【０１２０】
このようにして問題作成ユーザ端末１０よりマークアップドキュメントを受信したサーバシステムは，受信したマークアップドキュメントを開き，その内部構造を解析する。
【０１２１】
この解析により，前述した長方形６２ａ，又はハイライト表示６２ｂによってユーザがマークアップした領域（「サイズ調整」が指定されていた場合には，サイズ調整後の領域）に，ユーザによって指定された枠線幅，枠線色，及び背景色を有するフォームフィールドを「マスク」として生成すると共に，マークアップに使用されていた長方形６２ａ及びハイライト表示６２ｂを削除する。
【０１２２】
この際，自己学習テキスト作成手段２０１ｃは，マスク６１となる前述のフォームフィールドの表示／非表示の切り換えができるようにするために，各マスク６１に対するポインタ６３の移動やクリック等の所定の動作をトリガとして各マスクの表示／非表示の切り換えを実行する，所定のスクリプト言語（「javascript」等）で記述されたプログラムを生成して，これをマスク６１用に生成したフォームフィールドのそれぞれに埋め込む。
【０１２３】
前述したように，生成されたマスク６１を一斉表示，及び一斉非表示可能とした本実施形態の構成にあっては，自己学習テキスト作成手段２０１ｃは，更に，ユーザによって指定された位置に，一斉表示ボタン６４，及び，一斉非表示ボタン６５となるフォームフィールドを生成する。
【０１２４】
この場合，マスク６１として生成された各フォームフィールドには，それぞれに固有の「フィールド名」を付与しておき，各マスク６１（フォームフィールド）を識別可能とする。
【０１２５】
そして，自己学習テキスト作成手段は，一斉表示ボタン６４と成るフォームフィールドに，該フォームフィールドに対する所定の動作（例えば「ポインタ６３を領域内に移動させてマウス１３をクリックする」等）をトリガとして全ての正答を表示する（全てのマスク６１を非表示とする）処理を実行する，所定のスクリプト言語（「javascript」等）で記述されたプログラムを生成して，一斉表示ボタン６４となるフォームフィールドに埋め込むと共に，一斉非表示ボタン６５と成るフォームフィールドに，該フォームフィールドに対する所定の動作（例えば「ポインタを領域内に移動させてマウスをクリックする」等）をトリガとして全ての正答を非表示とする（全てのマスク６１を表示する），所定のスクリプト言語（「javascript」等）で記述されたプログラムを生成して埋め込む。
【０１２６】
この際，設定したプログラムにおいて，表示／非表示とするマスク６１（フォームフィールド）を特定するために，マスク６１の生成時に付与した，前述の「フィールド名」を利用する。
【０１２７】
このようにして，自己学習テキストを作成した自己学習テキスト作成手段２０１ｃは，作成した自己学習テキストを，自己学習テキストの作成を指令したユーザ端末１０に返信するようにしても良い。
【０１２８】
自己学習テキストの返信を受けたユーザは，受信した自己学習テキストを問題作成ユーザ端末１０の表示手段１１上に表示させて学習に使用するものとしても良い。
【０１２９】
また，前述した直接解答問題作成手段２０１ｂの場合と同様，前述の自己学習テキスト作成手段２０１ｃは，作成した自己学習テキストを，例えばジャンル毎にサーバシステム２０の記憶手段２０２に設けた所定の領域（図示の例では「穴埋め問題ＤＢ」）に記憶するものとしても良い。
【０１３０】
また，自己学習テキスト作成手段２０１ｃは，作成した自己学習テキストを，該自己学習テキストの作成を指令したユーザを特定可能な情報（ユーザ名，ＩＤナンバー等）と関連付けて記憶するものとしても良い。
【０１３１】
このように，作成された自己学習テキストをジャンル毎に記憶することで，作成済みの自己学習テキストを，該自己学習テキストの作成を指令したユーザ以外のユーザに対しても公開することにより，各ユーザは，前述したマークアップや自己学習テキストの作成指令等の手続きを一切経ることなく，既に作成済みの自己学習テキストの中から，自己の学習に有用なテキストを選択して使用することができるようにすることも可能である。
【０１３２】
また，作成された自己学習テキストをユーザを特定する情報と関連付けて記憶手段内に記憶することで，ユーザは，サーバシステムに対するログインに必要な情報（本実施形態ではユーザ名，パスワード）さえ覚えていれば，例えば自宅のパーソナルコンピュータを前述のユーザ端末１０として使用してサーバシステム２０に自己学習テキストを作成させ，作成された自己学習テキストを，スマートフォンやタブレットＰＣ等の携帯情報端末をユーザ端末１０として使用して，外出先等からも読み出すことが可能となり，自宅に限らず，職場のＰＣや，移動中の電車内におけるスマートフォン等を使用して学習が行える等，時と場所を選ばずに，僅かな空き時間等を利用して自己学習テキストを使用した学習が可能となる。
【０１３３】
問題配信手段
問題配信手段２０４は，サーバシステム２０の記憶手段２０２に保存された穴埋め問題を，ユーザ端末１０に送信するもので，問題配信手段２０４は，サーバシステム２０にアクセスし，作成済みの穴埋め問題の閲覧を要求するユーザ端末に対し穴埋め問題を送信するものとしても良く，この場合，サーバシステム２０の記憶手段２０２にジャンル毎に穴埋め問題を保存すると共に全会員に対し作成済みの問題の全てを公開等している場合，問題の閲覧を要求するユーザ端末に対し，ジャンル毎のリストを提供し，このリスト中からユーザが選択した穴埋め問題を送信する等しても良く，また，穴埋め問題を会員毎に保存している場合には，閲覧要求を行った会員の要求に基づいて作成した穴埋め問題のリストを提供し，この中から選択された穴埋め問題を送信する等しても良い。
【０１３４】
また，問題配信手段２０４は，予め登録されている会員の端末（ユーザ端末）に対し，例えば所定ジャンルの問題，あるいは，所定の会員の要求に基づいて作成された問題を，所定数毎に定期的にプッシュ配信するように構成する等しても良い。
【０１３５】
このように，サーバシステム２０に設けられた記憶手段に，生成された穴埋め問題ドキュメントを保存すると共に，ユーザからの要求に応じ，又は所定の要件を満たしたユーザに対し，作成済みの穴埋め問題を配信することができるように構成したことで，サーバシステム２０に対し，マークアップドキュメントの送信を行ったユーザ端末以外の端末によっても穴埋め問題を利用することが可能となる。
【０１３６】
〔穴埋め問題の使用例他〕
直接解答問題
直接解答問題のＰＤＦドキュメントを受信したユーザは，受信した直接解答問題のＰＤＦドキュメントを印刷して使用する。
【０１３７】
印刷した直接解答問題には，図１１（Ｂ）に示すように，マスク６１で覆われた部分に直接，解答を書き込むことができるようになっており，これを問題用紙兼，解答用紙として使用することにより，学習を行う。
【０１３８】
なお，サーバシステム２０の記憶手段２０２には，直接解答問題を作成する際の元としたマークアップドキュメントを，対応する直接解答問題と関連付けて記憶しておき，このマークアップドキュメントを正答としてユーザが閲覧できるようにする等しても良い。
【０１３９】
自己学習テキスト
自己学習テキストの返信あるいは配信を受けたユーザは，このＰＤＦドキュメントをＰＤＦ編集用のソフトウェアを使用して開くと，自己学習テキストが図１３（Ａ）に示すように，正答の部分がマスク６１により覆われた状態（一斉非表示の状態）で画面上に表示される。
【０１４０】
この一斉非表示の状態から，図１３（Ｂ）に示すように，一斉表示のボタン６４をクリックすると，全ての正答を表示（全てのマスク６１を非表示）とすることができると共に，この状態から更に図１３（Ｃ）に示すように一斉非表示のボタン６５をクリックすると，全ての正答を非表示（全てのマスク６１を表示）することができるようになっている。
【０１４１】
また，図１４（Ａ）に示すように，全ての正答が非表示（全てのマスク６１が表示）の状態で，マスク６１の１つをクリックすると，図１４（Ｂ）に示すようにクリックしたマスク６１で隠れていた正答のみを表示させることができ，また，図１４（Ｂ）に示すように，表示されている正答上にポインタを移動させてクリックすると，図１４（Ｃ）に示すように，クリックした正答を非表示とすることができる。
【０１４２】
従って，ユーザは，前述した一斉表示の機能を使用して，全ての空欄に対する解答を行った後，正答を表示させて答え合わせを行うような方法で自己学習テキストを使用した学習を行うことができる他，例えば，各マスク６１で隠された正答を頭に思い浮かべながら個々のマスクを順次クリックすることによりマスクで隠された正答を表示させることにより，一問一答式で解答を行うといった用法で使用することもでき，解答を紙等に記載することが困難な，通勤・通学電車内における学習等にも好適に利用することができる。
【０１４３】
しかも，このようにして表示させた正答は，個々の正答をクリックすることにより，あるいは，一斉非表示ボタンのクリックによって再度マスク６１によって隠すことができ，何度でも，自己学習テキストを使用した学習を繰り返して行うことができる。
【０１４４】
〔その他（変更例他）〕
コンピュータシステムの一元化
以上の説明では，ユーザ端末１０がマークアップドキュメントの生成処理を行い，サーバシステム２０が，マークアップドキュメントから穴埋め問題ドキュメントを生成する処理を行うものとして説明したが，２つの処理を行うコンピュータシステムは，これを一元化するものとしても良い。
【０１４５】
具体的には，ユーザ端末に所定のソフトウェアをインストールして，上記の説明でサーバシステム２０で行う処理として説明した穴埋め問題ドキュメント生成処理を，ユーザ端末１０に行わせるようにして，前述したマークアップドキュメントの生成処理から，穴埋め問題ドキュメントの生成処理迄の処理をユーザ端末１０で一括して行うことができるようにしても良く，これにより，サーバシステム２０にＰＤＦドキュメントの送信を行うことなく，穴埋め問題の作成が可能となる。
【０１４６】
また，前述した実施形態の説明において，ユーザ端末１０に行わせるものとしていたマークアップドキュメントの生成処理を，管理者用ＰＣ等のサーバシステム２０に設けられている情報端末で行うようにし，前述したマークアップドキュメントの生成処理から，穴埋め問題ドキュメントの生成処理迄の処理をサーバシステム２０で一括して行うことができるようにしても良い。
【０１４７】
自己採点機能
以上で説明した実施形態にあっては，作成した直接解答問題又は自己学習テキストを使用して学習を行ったユーザが，自ら正答と比較して正誤の判定や採点を行う場合を例に挙げて説明したが，このような正誤判定や採点を自動で行うことができるように構成しても良い。
【０１４８】
このような正誤判定や採点を自動で行うことができるようにするために，前述したサーバシステムに，解答入力欄作成手段（図示せず），及び，採点手段（図示せず）を設ける。
【０１４９】
このうちの解答入力欄作成手段は，前述した直接解答問題や自己学習テキストと共に，解答を入力する，マスク数に対応した数の「解答欄」を生成してユーザ端末に出力する。この場合，図１１（Ｂ）に示したように，マスク６１に連続番号が付与されている場合，個々の解答欄に対しても連続番号を付与する等して，問題文との対応関係を明確にするものとしても良い。
【０１５０】
また，前述の採点手段は，ユーザが前記解答欄に設けた空欄中に解答を入力した後，例えば解答欄の下方に設けた採点ボタンをクリックすることにより起動し，該採点手段の起動によってサーバシステムは，ユーザ端末より解答欄に入力された解答を取得すると共に，取得した解答を正答と比較して正誤の判定や採点を行う。
【０１５１】
正答は，例えばマスクによって覆われた部分がテキストデータである場合には，該部分の文字列を，イメージデータである場合には，該部分のイメージをＯＣＲによって認識して得た文字列等を「正答」として取得することができ，これらを穴埋め問題の作成時に予め取得して記憶手段２０２に対応する穴埋め問題と関連付けて記憶させておくと共に比較して，前述した正誤の判定や採点を行うようにしても良い。
【０１５２】
集計・反復練習機能
本発明の穴埋め問題作成システムに，前述した自己採点機能を付加した場合，これと共に，採点結果を，ユーザ毎，ジャンル毎等に集計して成績を表示する集計機能や，採点の結果，所定の正解率未満であった問題については，所定の正解率以上の採点結果が得られる迄，ユーザ端末上に繰り返し表示し，あるいは，一定時間の経過後，再度，ユーザ端末に対し自動送信して解答を促す等の，反復練習機能を持たせるものとしても良い。
【０１５３】
問題作成ユーザと学習ユーザの分離
以上で行った説明では，本システムを利用して穴埋め問題の作成を行うユーザと，作成された穴埋め問題を使用して学習を行うユーザとが一致する場合を想定して説明したが，サーバシステム２０に対し問題の作成を指令するユーザ（例えば，企業の教育担当者，教師，塾講師等：問題作成ユーザ）と，作成された問題を使用して学習を行うユーザ(例えば，上記に対する生徒等：学習ユーザ)は，別の者であっても良い。
【０１５４】
この場合，サーバシステムは，問題作成ユーザの作成指令によって作成した前述の直接解答問題や自己学習テキストを，該問題作成ユーザと関連付けてユーザ登録されている，学習ユーザに対し送信するようにしても良い。
【０１５５】
学習ユーザに対する穴埋め問題の送信は，学習ユーザがサーバシステムに対してアクセスした際に行うものとしても良く，あるいは，学習ユーザがサーバシステムに対しアクセスしたか否かに拘わらず，問題作成ユーザによって指定された条件に従って，サーバシステムが学習ユーザの端末に対し，プッシュ送信するように構成しても良い。
【０１５６】
このように構成した場合，問題作成ユーザに対し，該問題作成ユーザと関連した解答ユーザ毎の成績の集計や統計的な解析等を行うことができるようにしても良い。
【符号の説明】
【０１５７】
１  穴埋め問題作成システム
１０  ユーザ端末
１０１  マークアップドキュメント生成手段
１０１ａ  ＰＤＦ変換手段
１０１ｂ  マークアップ手段
１０３  通信手段
１０４  記憶手段
１１  表示手段（ディスプレイ）
１２  キーボード
１３  マウス
１４  イメージスキャナ
１５  プリンタ
２０  サーバシステム
２０１  穴埋め問題ドキュメント生成手段
２０１ａ  選択手段
２０１ｂ  直接解答問題作成手段
２０１ｃ  自己学習テキスト作成手段
２０２  記憶手段
２０２ａ  会員マスタ
２０２ｂ  穴埋め問題ＤＢ
２０２ｃ  問題ソースＤＢ
２０２ｄ  集計・統計結果の記憶領域
２０３  認証手段
２０４  問題配信手段
５０  通信ネットワーク（インターネット）
６１  マスク
６２ａ  長方形
６２ｂ  ハイライト表示
６３  ポインタ
６４  一斉表示ボタン
６５  一斉非表示ボタン
７１  「作成」の表示
７２  プルダウンメニュー
７３  ユーザ名入力欄
７４  パスワード入力欄
７５  ログインボタン
７６  ボタン（パスワードを忘れた）
７７  ボタン（初めてご利用になる方）
７８  変換元ファイル名入力欄
７９  参照ボタン
８０  参照ウィンドウ
８１  チェックボックス（「直接解答問題」選択用）
８２  チェックボックス（「自己学習テキスト」選択用）
８３  選択終了ボタン
８４  枠線幅入力欄
８５  プルダウンメニュー
８６  枠線色入力欄
８７  カラーパレット
８８  背景色入力欄
８９  サイズ調整値入力欄
９０  変換ボタン
９１  枠線幅入力欄
９２  枠線色入力欄
９３  背景色入力欄
９４  サイズ調整値入力欄
９５  配置箇所入力欄
９６  プルダウンメニュー
９７  位置調整値入力欄
９８  変換ボタン
【図１】
2017054041.tif 000003
【図２】
2017054041.tif 000004
【図３】
2017054041.tif 000005
【図４】
2017054041.tif 000006
【図５】
2017054041.tif 000007
【図６】
2017054041.tif 000008
【図７】
2017054041.tif 000009
【図８】
2017054041.tif 000010
【図９】
2017054041.tif 000011
【図１０】
2017054041.tif 000012
【図１１】
2017054041.tif 000013
【図１２】
2017054041.tif 000014
【図１３】
2017054041.tif 000015
【図１４】
2017054041.tif 000016